(57)【要約】【課題】  画像形成装置を検索すると同時にドキュメントの印刷予約を行ない、かつポイントカード等を使用しなくても、画像形成装置の設置してある店舗の商品割引を、画像形成装置の予約印刷時に行ない、当該店舗における販売を促進する。【解決手段】  携帯端末５０で管理サーバ４０に画像形成装置１０の検索を行なう際に、検索結果とともに店舗ごとの割引商品を通知し、店舗の宣伝を行なう。管理サーバ４０は印刷する画像形成装置６０を選択すると予約コードを発行し、携帯端末５０に通知する。当該店舗において画像形成装置６０に予約コードを入力すると、予約印刷が実行され、所定の条件を充たすと、画像形成装置６０からＰＯＳ端末７０に予約コードを割引クーポンとして送信する。商品購入時に予約コードをＰＯＳ端末７０に入力すると、所定の割引率で商品の代金が計算される。【選択図】      図７
2007034539.tif 000002
【特許請求の範囲】
【請求項１】
画像形成装置と、この画像形成装置に通信手段によって接続されたＰＯＳ端末と、を備える販売促進システムであって、
前記画像形成装置は、顧客による画像形成に対して割引コードを発生させる割引コード作成手段と、前記割引コードをＰＯＳ端末に送信する割引コード送信手段と、を備え、
前記ＰＯＳ端末は、前記割引コード送信手段から送信された割引コードを記憶する割引コード記憶手段と、顧客の商品精算時に前記割引コードが入力された際に、入力された割引コードと前記割引コード記憶手段に記憶されている割引コードとを照合する割引コード照合手段と、前記照合手段の照合結果に基づいて所定の割引演算を行なう割引演算手段と、を備えることを特徴とする販売促進システム。
【請求項２】
前記ＰＯＳ端末は、割引商品情報を含む割引クーポンデータベースを有し、
前記画像形成装置は、顧客による画像形成に対して前記割引クーポンデータベースにアクセスすることによって割引可能な商品を表示して顧客に通知し、表示された割引商品の中から顧客が所望の割引商品を選択すると、前記割引コード作成手段は、画像形成および割引商品に対応した割引コードを作成することを特徴とする請求項１に記載の販売促進システム。
【請求項３】
文書やＷｅｂページ等の印刷予約の問い合わせを行なう端末装置と、該端末装置による印刷予約の問い合わせに対応して予約コードを発行して前記端末装置に送信することにより当該予約コードを顧客に通知する管理サーバと、顧客による前記予約コードの入力に対応して予約した所望の画像形成を行なう画像形成装置と、商品の精算を行なうＰＯＳ端末と、を備え、それぞれがネットワークによって接続された販売促進システムであって、
前記画像形成装置は、前記顧客による画像形成に対して前記予約コードを割引コードとして前記ＰＯＳ端末に送信し、
前記ＰＯＳ端末は、前記割引コードを記憶する割引コード記憶手段と、顧客の商品精算時に前記割引コードが入力されると、入力された割引コードと前記割引コードとを照合する割引コード照合手段と、前記照合手段の照合結果に基づいて所定の割引演算を行なう割引演算手段と、を備えることを特徴とする販売促進システム。
【請求項４】
前記販売促進システムは、前記ネットワークまたは前記管理サーバに接続された割引クーポンデータベースを備え、
前記割引クーポンデータベースは、各店舗の割引商品情報を含む割引クーポンデータを少なくとも含み、
前記管理サーバは、前記端末装置による印刷予約の問い合わせに応じて予約コードを発行して通知する前に、前記割引クーポンデータベースから該当する店舗の割引商品に関する情報を検索して前記端末装置に送信し、顧客が割引商品を選択すると印刷予約および割引商品に対応した予約コードを発行して前記端末装置に送信し、
前記ＰＯＳ端末は、当該顧客の商品精算時に前記割引コードが入力されると、前記割引クーポンデータベースにアクセスすることにより割引商品に対応する前記割引率を取得する割引率取得手段を備えることを特徴とする請求項３に記載の販売促進システム。
【請求項５】
顧客による画像形成に対して割引可能な商品を表示するステップと、
前記画像形成および前記割引可能な商品の中から選択された割引商品に応じた割引コードを生成してＰＯＳ端末に送信するステップと、
前記割引コードに基づいて所定の割引演算を行なうステップと、からなることを特徴とする画像形成および商品割引方法。
【請求項６】
顧客の印刷予約の問い合わせに応じて画像形成装置の情報と割引商品の情報を通知するステップと、
顧客による画像形成装置の印刷予約および選択された割引商品に対応した予約コードを生成して顧客に通知するステップと、
前記予約コードの入力に対応して予約した所望の画像形成を行なうステップと、
顧客による画像形成に応じて予約コードを割引クーポンコードとしてＰＯＳ端末に送信するステップと、
前記割引クーポンコードに基づいて所定の割引演算を行なうステップと、からなることを特徴とする画像形成および商品割引方法。
【請求項７】
画像形成装置と、この画像形成装置に通信手段によって接続されたＰＯＳ端末からなるシステムにおける画像形成および販売促進方法において、
顧客による前記画像形成装置を用いた画像形成に対して割引コードを発生させるステップと、
前記割引コードを前記ＰＯＳ端末に送信するステップと、
受信した前記割引コードを前記ＰＯＳ端末に記憶するステップと、
前記ＰＯＳ端末における顧客の商品精算時に入力された割引コードを、前記記憶された割引コードと照合するステップと、
前記照合手段の照合結果に基づいて所定の割引演算を行なうステップと、からなることを特徴とする画像形成および販売促進方法。
【請求項８】
文書やＷｅｂページ等の印刷予約の問い合わせを行なう端末装置と、該端末装置による印刷予約の問い合わせに対応して予約コードを発行して前記端末装置に送信することにより当該予約コードを顧客に通知する管理サーバと、顧客による前記予約コードの入力に対応して予約した所望の画像形成を行なう画像形成装置と、商品の精算を行なうＰＯＳ端末と、を備え、それぞれがネットワークによって接続されたシステムにおける画像形成および販売促進方法において、
予約コードの発行前に、該当する店舗の割引商品情報を顧客に通知するステップと、
顧客による画像形成に対して前記予約コードを割引コードとして前記ＰＯＳ端末に送信するステップと、
受信した前記割引コードを前記ＰＯＳ端末に記憶するステップと、
前記ＰＯＳ端末における顧客の商品精算時に入力された予約コードを、前記記憶された割引コードと照合するステップと、
前記照合手段の照合結果に基づいて所定の割引演算を行なうステップと、からなることを特徴とする画像形成および販売促進方法。
【発明の詳細な説明】
【技術分野】
【０００１】
本発明は、互いに接続されて信号の送受信が可能な印刷デバイスとＰＯＳシステムを備えた販売促進システム、特に、印刷デバイスを利用することによって、ＰＯＳ端末において店舗商品の割引計算を行なう販売促進システムに関する。
【背景技術】
【０００２】
従来、店舗等に設置されている印刷デバイスにプリペイドカードやポイントカードを使用することが知られている。利用者は印刷デバイスを使用するため、前もってプリペイドカードを購入し、現金の代わりに印刷デバイスに備え付けの自動販売機に挿入し、印刷料に相当するポイントを差し引くことにより、簡単に料金の支払いが可能となる。さらに、プリペイドカードに購入金額以上の対価をもたせることにより、印刷デバイスの利用を促進することができる。
【０００３】
また印刷デバイスを設置してある店舗において、印刷デバイスの利用客に対してポイントカードを発行し、印刷毎にポイントカードにポイントを加算するシステムも存在する。
【０００４】
例えば、下記特許文献１は、現金を使用して画像を印刷した場合でもポイントカードにポイントを加算できる画像形成装置用自動販売機を開示している。この発明において、ポイントカードが満額になると、特典が付加される。この特典により、例えばレジにおいて景品と交換したり、物品を割り引いて購入したり、無料で印刷を行なうことができる。このように、各店舗ごとにポイントカードを発行すれば、当該店舗ごとに集客力を増すことが可能である。
【０００５】
また、携帯端末装置から文書やＷｅｂコンテンツ等を印刷する場合に、携帯端末の近辺に存在する印刷デバイスを検索して提示するシステムが存在する。下記特許文献２は、携帯端末装置からの検索要求に応えて、携帯端末の近辺に存在する画像形成装置を地図画像とともに表示する画像形成システムを開示している。
【０００６】
さらに、下記特許文献３は、複数の複写機を遠隔地にある集計用コンピュータにネットワークを介して接続し、各複写機におけるポイントカードの使用履歴状況を集計することを特徴とする画像形成課金システムを開示している。この画像形成課金システムを使用することによって、ポイントカードの使用の多かった店舗に対してコピー会社が保守料金の割引を行なったり、景品を店舗に提供するなどのサービスを行ない、複写機の利用促進を図ることが可能となる。
【０００７】
また、下記特許文献４は、コンピュータ端末からネットワークに接続された画像形成装置に対して操作予約を行なうと同時に暗証番号を入力し、画像形成装置に暗証番号が入力されると暗証番号の確認を行ない、暗証番号が一致した場合に動作可能となるようにした画像形成装置を開示している。この画像形成装置によって、各コンピュータ装置から画像形成装置の操作予約を行ない、その後当該画像形成装置において予約したユーザーが操作を行なうことが可能となる。
【０００８】
【特許文献１】特開２００４−３４１５９９号公報
【特許文献２】特開２００４−２３４２１８号公報
【特許文献３】特開２００５−９２６３６号公報
【特許文献４】特開２００２−２５８７００号公報
【発明の開示】
【発明が解決しようとする課題】
【０００９】
しかしながら、上記特許文献１に開示されている画像形成装置用自動販売機においては、ポイントカードを使用することによって各店舗において集客力の増加を見込める反面、顧客はポイントカードを携行する必要がある。したがって、ポイントカードを携行していない場合にはサービスを受けることができないこともあり、利便性が損なわれる。また、上記の画像形成装置用自動販売機を使用した販売システムでは、ポイントカードを発行するための発行作業や登録作業が生じ、面倒である。さらに、特定のポイントカードを使用して特典を受けるためには、ユーザーは当該ポイントカードを使用できる画像形成装置を設置している特定のコンビニエンスストア等の商業施設の場所を知っていなければならない。
【００１０】
また、上記特許文献２に開示されている印刷デバイス検索システムにおける機能は、近隣の画像形成装置の場所と状態とを検索して表示するだけにとどまっており、画像形成装置を設置している特定店舗の販売を促進することを意図してはいない。
【００１１】
また、上記特許文献３に開示されている画像形成課金システムは、遠隔地にある集計用コンピュータによって集計されたポイントカードの使用履歴情報を使用して、画像形成装置を設置している各店舗に対してサービスを行なうものであり、画像形成装置を設置している各店舗側が画像形成装置を使用する各顧客に対してサービスを行ない、集客力を向上させるものではない。
【００１２】
さらに、上記特許文献４に開示されている画像形成装置における機能は、画像形成装置の操作を予約して印刷する機能のみであり、画像形成装置を商業施設に設置した場合に当該商業施設の販売を促進する機能を有してはいない。
【００１３】
したがって、本発明の目的は、店舗等に設置される画像形成装置を使用する際に、ポイントカード等を用いなくとも当該店舗の商品の割引を容易に行なうことができる販売促進システムを提供することである。
【００１４】
また、本発明の更なる目的は、各端末装置から店舗等に設置されている画像形成装置に対して印刷予約を行ない、予約印刷を可能にすると共に、画像形成装置の予約・印刷に対して当該店舗の商品の割引を容易に行なうことができる販売促進システムを提供することである。
【課題を解決するための手段】
【００１５】
前記課題を解決するために、本願の請求項１に係る発明は、画像形成装置と、この画像形成装置に通信手段によって接続されたＰＯＳ端末と、を備える販売促進システムであって、前記画像形成装置は、顧客による画像形成に対して割引コードを発生させる割引コード作成手段と、前記割引コードをＰＯＳ端末に送信する割引コード送信手段と、を備え、前記ＰＯＳ端末は、前記割引コード送信手段から送信された割引コードを記憶する割引コード記憶手段と、顧客の商品精算時に前記割引コードが入力された際に、入力された割引コードと前記割引コード記憶手段に記憶されている割引コードとを照合する割引コード照合手段と、前記照合手段の照合結果に基づいて所定の割引演算を行なう割引演算手段と、を備えることを特徴とする。
【００１６】
また、本願の請求項２に係る発明は、請求項１に記載の販売促進システムであって、該販売促進システムの前記ＰＯＳ端末は、割引商品とその割引率とを含む割引クーポンデータベースを有し、前記画像形成装置は、顧客による画像形成に対して前記割引クーポンデータベースにアクセスすることによって割引可能な商品を表示して顧客に通知し、表示された割引商品の中から顧客が所望の割引商品を選択すると、前記割引コード作成手段は、画像形成および割引商品に対応した割引コードを作成することを特徴とする。
【００１７】
また、本願の請求項３に係る発明は、文書やＷｅｂページ等の印刷予約の問い合わせを行なう端末装置と、該端末装置による印刷予約の問い合わせに対応して予約コードを発行して前記端末装置に送信することにより当該予約コードを顧客に通知する管理サーバと、顧客による前記予約コードの入力に対応して予約した所望の画像形成を行なう画像形成装置と、商品の精算を行なうＰＯＳ端末と、を備え、それぞれがネットワークによって接続された販売促進システムであって、前記画像形成装置は、前記顧客による画像形成に対して前記予約コードを割引コードとして前記ＰＯＳ端末に送信し、前記ＰＯＳ端末は、前記割引コードを記憶する割引コード記憶手段と、顧客の商品精算時に前記割引コードが入力されると、入力された割引コードと前記割引コードとを照合する割引コード照合手段と、前記照合手段の照合結果に基づいて所定の割引演算を行なう割引演算手段と、を備えることを特徴とする。
【００１８】
また、本願の請求項４に係る販売促進システムは、前記ネットワークまたは前記管理サーバに接続された割引クーポンデータベースを備え、前記割引クーポンデータベースは、各店舗の割引商品とその割引率とからなる割引クーポンデータを少なくとも含み、前記管理サーバは、前記端末装置による印刷予約の問い合わせに応じて予約コードを発行して通知する前に、前記割引クーポンデータベースから該当する店舗の割引商品とその割引率を検索して前記端末装置に送信し、顧客が割引商品を選択すると印刷予約および割引商品に対応した予約コードを発行して前記端末装置に送信し、前記ＰＯＳ端末は、当該顧客の商品精算時に前記割引コードが入力されると、前記割引クーポンデータベースにアクセスすることにより割引商品に対応する前記割引率を取得する割引率取得手段を備えることを特徴とする。
【００１９】
また、本願の請求項５に係る発明は、顧客による画像形成に対して割引可能な商品を表示するステップと、前記画像形成および前記割引可能な商品の中から選択された割引商品に応じた割引コードを生成してＰＯＳ端末に送信するステップと、前記割引コードに基づいて所定の割引演算を行なうステップとからなる画像形成および商品割引方法であることを特徴とする。
【００２０】
また、本願の請求項６に係る発明は、顧客の印刷予約の問い合わせに応じて画像形成装置の情報と割引商品の情報を通知するステップと、顧客による画像形成装置の印刷予約および選択された割引商品に対応した予約コードを生成して顧客に通知するステップと、前記予約コードの入力に対応して予約した所望の画像形成を行なうステップと、顧客による画像形成に応じて予約コードを割引クーポンコードとしてＰＯＳ端末に送信するステップと、前記割引クーポンコードに基づいて所定の割引演算を行なうステップと、からなる画像形成および商品割引方法であることを特徴とする。
【００２１】
また、本願の請求項７に係る発明は、画像形成装置と、この画像形成装置に通信手段によって接続されたＰＯＳ端末からなるシステムにおける画像形成および販売促進方法において、顧客による前記画像形成装置を用いた画像形成に対して割引コードを発生させるステップと、前記割引コードを前記ＰＯＳ端末に送信するステップと、受信した前記割引コードを前記ＰＯＳ端末に記憶するステップと、前記ＰＯＳ端末における顧客の商品精算時に入力された割引コードを、前記記憶された割引コードと照合するステップと、前記照合手段の照合結果に基づいて所定の割引演算を行なうステップと、からなる画像形成および販売促進方法であることを特徴とする。
【００２２】
また、本願の請求項８に係る発明は、文書やＷｅｂページ等の印刷予約の問い合わせを行なう端末装置と、該端末装置による印刷予約の問い合わせに対応して予約コードを発行して前記端末装置に送信することにより当該予約コードを顧客に通知する管理サーバと、顧客による前記予約コードの入力に対応して予約した所望の画像形成を行なう画像形成装置と、商品の精算を行なうＰＯＳ端末と、を備え、それぞれがネットワークによって接続されたシステムにおける画像形成および販売促進方法において、予約コードの発行前に、該当する店舗の割引商品情報を顧客に通知するステップと、顧客による画像形成に対して前記予約コードを割引コードとして前記ＰＯＳ端末に送信するステップと、受信した前記割引コードを前記ＰＯＳ端末に記憶するステップと、前記ＰＯＳ端末における顧客の商品精算時に入力された予約コードを、前記記憶された割引コードと照合するステップと、前記照合手段の照合結果に基づいて所定の割引演算を行なうステップと、からなる画像形成および販売促進方法であることを特徴とする。
【発明の効果】
【００２３】
請求項１に係る発明においては、画像形成装置において顧客の画像形成に対し割引コードを作成してＰＯＳ端末に送信することにより、顧客がＰＯＳ端末において商品の精算を行なう際に、顧客の画像形成に対してポイントカード等を使用しなくても容易に割引サービスを行なうことができ、このように顧客の画像形成に対して特典を付与することにより画像形成の促進および画像形成装置を設置している店舗の販売を促進することが可能となる。なお、ポイントカードを使用しないため、ポイントカード発行時に必要な登録作業が不要となる。さらに、顧客にとっては店舗ごとに異なるポイントカードを携行する必要がなく、利便性を増すことができる。
【００２４】
また、請求項２に係る発明においては、顧客の画像形成装置利用時に、画面に割引商品の情報を表示することにより、割引商品の購入を顧客に促し、画像形成装置を設置している店舗の販売を促進できる。
【００２５】
また、請求項３に係る発明においては、端末装置によって画像形成装置の予約を行ない、管理サーバによって発行された予約コードを該当する画像形成装置に入力することにより予約印刷を行なうことができる。また、顧客による画像形成時に、予約コードをＰＯＳ端末に送信することにより、顧客がＰＯＳ端末において商品の精算を行なう際に、顧客の画像形成に対してポイントカード等を使用しなくても容易に割引サービスを行なうことができ、このように顧客の画像形成に対して特典を付与することにより画像形成の促進および画像形成装置を設置している店舗の販売を促進することが可能となる。
【００２６】
また、請求項４に係る発明においては、端末装置によって画像形成装置の予約を行なう際に、割引クーポンデータベースから該当する店舗の割引商品の情報を取得して顧客に通知することにより、割引商品の予約をも行なうことが可能となり、画像形成装置を設置している店舗の利用を促進できる。また、当該店舗における画像形成後にポイントカードを使用しなくても容易にＰＯＳ端末において商品の割引サービスを受けることが可能となる。
【００２７】
また、請求項５に係る発明においては、画像形成時に当該店舗における割引商品を顧客に通知することにより、割引商品の購入を促すことができ、さらに割引コードをＰＯＳ端末に送信することにより、ポイントカード等を使用しなくても画像形成に対する割引サービスを容易に実施することが可能となる。
【００２８】
また、請求項６に係る発明においては、画像形成装置の予約を行なうと同時に割引商品の情報を顧客に通知することにより、画像形成装置設置店舗の利用を促すことができる。さらに、予約コードを割引クーポンコードとしてＰＯＳ端末に送信することにより、ポイントカード等を使用しなくても画像形成に対する割引サービスを容易に実施することが可能となる。
【００２９】
また、請求項７に係る発明においては、割引コードをＰＯＳ端末に送信することにより、ポイントカード等を使用しなくても画像形成に対する割引サービスを容易に実施することが可能となる。
【００３０】
また、請求項８に係る発明においては、画像形成装置の予約を行なうと同時に割引商品の情報を顧客に通知することにより、画像形成装置設置店舗の利用を促すことができる。さらに、予約コードを割引クーポンコードとしてＰＯＳ端末に送信することにより、ポイントカード等を使用しなくても画像形成に対する割引サービスを容易に実施することが可能となる。
【発明を実施するための最良の形態】
【００３１】
以下、図面を参照して本発明の最良の実施形態を説明する。ただし、以下に示す実施形態は、本発明の技術思想を具体化するための画像形成装置およびＰＯＳ端末による販売促進システム、およびその方法を例示するためのものであって、本発明をこれらに特定することを意図するものではなく、特許請求の範囲に含まれるその他の実施形態のものも等しく適応し得るものである。
【実施例１】
【００３２】
本発明の実施例１にかかる画像形成装置およびＰＯＳシステムによる販売促進システムを図１〜図６を参照しながら説明する。図１は、店舗にそれぞれ設置された画像形成装置とＰＯＳシステムによる販売促進システムの全体概略図である。店舗１は、コンビニエンスストアやスーパーマーケット等の商業施設である。この店舗１には、多数の商品９８、割引商品９９が陳列・販売されている。また店舗内には、画像形成装置１０とＰＯＳ端末２０が設置される。画像形成装置１０は、プリンタ、複写機、およびそれに類する他の機能・手段を有するものであり、顧客が料金を支払うことにより文書や画像をコピーしたりプリントアウトしたりできる。ＰＯＳ端末は、店舗において商品の精算を行なうものである。顧客が所望の商品９８、割引商品９９を選んでＰＯＳ端末のところまで持っていくと、店員はＰＯＳ端末２０を操作することにより代金の計算を行ない、顧客に請求する。
【００３３】
さらに本発明における画像形成装置１０と、ＰＯＳ端末２０とは、通信手段３０によって接続される。通信手段３０は、有線・無線・ネットワーク等であり、画像形成装置１０とＰＯＳ端末２０との間でデータの送受信を可能にするものである。
【００３４】
図２は、本発明における画像形成装置１０とＰＯＳ端末２０の構成図である。画像形成装置１０は、ＣＰＵ１１、メモリ１２、通信インターフェース１３、複写・印刷機構部１４、タッチパネル式ディスプレイ１５、コインユニット１６を備える。
【００３５】
画像形成装置においてＣＰＵ１１は、図示しないＲＯＭに格納されたプログラムを実行することにより画像形成装置１０全体を制御し動作させ、複写・印刷機構部１４の制御を行なう。メモリ１２は、ＣＰＵ１１のワークエリア、また画像データ等の一時的記憶領域、として使用される。通信インターフェース１３は、画像形成装置１０とＰＯＳ端末とを有線・無線・ネットワーク等により接続し、双方向通信を可能とするものである。
【００３６】
複写・印刷機構部１４は、スキャナ機能およびプリンタ機能等を備え、スキャナ機構を用いることにより顧客は文書や画像をメモリ１２に読み込ませることができると同時に、メモリ１２に記憶されている印刷データをプリンタ機能によってプリントアウトすることが可能である。
【００３７】
タッチパネル式ディスプレイ１５は、ディスプレイに種々の情報を表示して顧客に通知する。例えば、白黒コピーモードやカラーコピーモードを選択するメニューや、種々の案内画面を表示して、顧客に画像形成装置の操作方法を通知できる。さらに顧客は、タッチパネル式ディスプレイ１５の画面に触れることにより、表示されたメニューを選択入力したり、原稿サイズ・拡大率・印刷部数を指定したりできる。
【００３８】
コインユニット１６は、硬貨投入口や、カウント機構等を備え、一定金額が投入されることにより、顧客に対して既定料金で画像形成を可能とするものである。
【００３９】
ＰＯＳ端末２０は、ＣＰＵ２１、メモリ２２、通信インターフェース２３、ハードディスク２４、テンキー２５、ディスプレイ２６、プリンタ２７を備える。
【００４０】
ＣＰＵ２１は、商品精算時における演算制御およびプログラムの実行等全般を司るものであり、メモリ２２はＣＰＵ２１のワークエリア、また各種データの一時的記憶領域として使用される。
【００４１】
通信インターフェース２３は、このＰＯＳ端末２０を画像形成装置１０と接続し、双方向通信を可能とするためのものである。ハードディスク２４は、後でより詳細に説明するが、各種広告や割引商品の情報等のデータを保存する記憶媒体である。
【００４２】
テンキー２５は、顧客の購入商品の精算時に、店員が商品の代金をＰＯＳ端末に入力するためのものである。さらに、後に詳細に説明するが、テンキー２５は割引コードをＰＯＳ端末に入力するためにも使用される。またディスプレイ２６には、精算した料金、合計金額等が表示される。プリンタ２７は、ＰＯＳ端末によって精算した売買の明細をレシートまたは領収証として印刷する。
【００４３】
図３は、本発明における画像形成装置１０とＰＯＳ端末２０の機能ブロック図であり、メモリ１２、２２、ハードディスク２４に記憶された各種データ、および図示しないＲＯＭに記憶されたプログラムを実行するＣＰＵ１１、２１により実現される。画像形成装置１０は、印刷データ受信・変換部１０１、画像形成制御部１０２、画像形成監視部１０３、課金管理部１０４、割引クーポン検索部１０５、割引クーポンコード作成部１０６、割引クーポンコード送信部１０７を備える。印刷データ受信・変換部１０１は、複写・印刷機構部１４のスキャナ機能によって読み取られた画像データを受信してメモリ１２に格納するとともに、順次印刷可能なビデオデータに変換する。画像形成制御部１０２は、印刷・複写機能のプリンタ機能を動作させるものであり、変換されたビデオ信号に従ってプリンタ機能に組み込まれたプリンタエンジン部の諸機構を動作させ、用紙上に画像データを印刷する。
【００４４】
画像形成監視部１０３は、複写・印刷機能部において画像形成が行なわれることを監視しており、画像形成毎に、あるいは画像形成後の排紙の度に、用紙が排紙されたこと、カラーや白黒印刷等の印刷種別、用紙の種類等を含む画像監視データを課金管理部１０４に送信する。課金管理部１０４は、画像形成監視部１０３から送信されたデータに基づいて課金計算を行ない、コインユニット１６に挿入された金額から印刷料を差し引き、コインユニット１６に付設された表示部またはタッチパネル式ディスプレイ１５に残高を表示させる。
【００４５】
割引クーポン検索部１０５は、通信インターフェース１３を介してＰＯＳ端末と通信を行ない、後述する割引クーポンデータベース２０５にアクセスすることにより、利用できる割引商品とその割引率を検索する。タッチパネル式ディスプレイ１５は、割引クーポン検索部１０５によって検索された割引商品の画像やその割引率を表示する。割引クーポン検索部１０５による割引クーポンデータベース２０５の検索は、画像形成管理部の監視データに基づいてカウンタにより印刷枚数を計数し、所定の枚数が印刷されたと判断されたときにのみ行なわれるようにする。なお、印刷枚数を計数するカウンタは、画像形成監視部１０３内に設けることができる。割引クーポンコード作成部１０６は、タッチパネル式ディスプレイ１５に表示された割引商品の中から顧客によって商品が選択されると、印刷枚数や印刷種別、および割引商品に対応した割引クーポンコードを作成し、タッチパネル式ディスプレイに表示する。顧客は表示された割引クーポンコードを書き留めるか記憶する。割引クーポンコード送信部１０７は、作成された割引クーポンコードを通信インターフェース１３を介してＰＯＳ端末２０に送信する。なお、上記説明では割引クーポン検索部１０５による割引クーポンデータベース２０５の検索は、所定枚数が印刷されたときに行なうものとして説明したが、所定枚数が印刷されるかどうかにかかわりなく割引クーポンデータベース２０５にアクセスして割引商品を表示し、所定枚数以上印刷を行なうよう促してもよい。その場合、割引商品の選択は、所定枚数が印刷されたときにのみ可能となるようにする。
【００４６】
ＰＯＳ端末２０は、代金計算部２０１、割引クーポンコード記憶部２０２、割引演算部２０３、割引クーポンコード照合部２０４、割引クーポンデータベース２０５を備える。代金計算部２０１は、顧客の商品を精算するものであり、テンキーで入力された代金値や、バーコードリーダによって読み取られた代金情報を計算する。割引クーポンコード記憶部２０２は、画像形成装置１０の割引クーポンコード送信部１０７より通信インターフェース２３を介して受信した割引クーポンコードを記憶する。
【００４７】
顧客は、購入する商品９８と、割引商品９９を持ってＰＯＳ端末２０のところまで行き、精算を行なう際に、書き留めるか記憶するかした割引クーポンコードを店員にテンキー２５を用いて入力してもらう。
【００４８】
割引クーポンコード照合部２０４は、入力された割引クーポンコードと割引クーポンコード記憶部２０２に記憶された割引クーポンコードとを照合する。割引クーポンコード記憶部２０２に記憶された割引クーポンコードの中に、入力された割引クーポンコードと一致するものが存在すれば、割引クーポンコード照合部２０４は、その旨を割引演算部２０３に通知する。割引演算部２０３は、割引クーポンデータベース２０５にアクセスすることにより、割引商品の種類とその所定の割引率を取得し、割引商品９９の代金を割引演算する。
【００４９】
割引クーポンデータベース２０５は、割引商品の種類と割引率のデータを含むものであり、ＰＯＳ端末２０のハードディスク２４、あるいはＰＯＳ端末２０の外部に接続された記憶媒体に記憶される。図４は、割引クーポンデータベース２０５を詳細に示す図である。割引クーポンデータベース２０５には、商品（１）９９１、商品（２）９９２、・・・商品Ｎ９９Ｎにそれぞれ対応する、商品の画像２１１、２１２、・・・２１Ｎ、割引前の価格２２１、２２２、・・・２２Ｎ、割引率２３１、２３２、・・・２３Ｎが列記される。
【００５０】
図５は、画像形成装置１０のタッチパネル式ディスプレイ１５に表示された割引商品選択画面を示す。この割引商品選択画面は、割引クーポン検索部１０５が割引クーポンデータベース２０５にアクセスすることにより表示されるものであり、選択商品の画像１５２，１５３，１５４と、キャンセルアイコン１５５が表示される。選択商品の画像１５２，１５３，１５４には、割引商品の種類や画像を示す表示と、割引率や割引値を示す表示が含まれる。顧客がこれらの選択商品の画像に触れることにより選択入力すると、割引商品に対応した割引クーポンコードが発行される。キャンセルアイコン１５５を選択すると、割引商品の購入処理は行なわれない。
【００５１】
図６は、実施例１における販売促進システムのシーケンス図を示す。このシーケンス図と機能ブロックを示す図３を用いて、実施例１の販売促進システムの動作を説明する。まず、顧客は画像形成装置１０を使用してコピー等の印刷を行なう（処理１）。次いで画像形成装置１０は、画像形成監視部１０３から出力された画像形成監視データを割引クーポン検索部１０５に送信する。割引クーポン検索部１０５は、前記画像形成監視データに基づいて、所定枚数が印刷されたかどうかを判断する（処理２）。所定枚数の印刷がされたと判断されると、前記割引クーポン検索部１０５は、通信インターフェース１３を介してＰＯＳ端末２０の割引クーポンデータベース２０５にアクセスして、割引商品情報を取得し、画像形成装置１０のタッチパネル式ディスプレイに表示する（処理３、４）。顧客がタッチパネル式ディスプレイを見ながら割引商品を選択入力する（処理５）と、画像形成装置１０は、割引クーポンコード作成部１０６により、選択された割引商品に対応した割引クーポンコードを作成し、割引クーポンコード送信部１０７を用いてＰＯＳ端末２０に送信する（処理６）。同時にタッチパネル式ディスプレイ１５に、作成、発行された割引クーポンコードを表示する。
【００５２】
顧客は、店舗内で商品を選んでＰＯＳ端末２０のところまで持って行き、商品を清算する。その際、顧客または店員は割引クーポンコードをテンキー等によりＰＯＳ端末２０に入力し、割引クーポンを使用することを指示する（処理７）。ＰＯＳ端末２０の割引クーポンコード照合部２０４は、入力された割引クーポンコードと割引クーポンコード記憶部２０２に記憶された割引クーポンコードとを照合し、一致するものがあれば、その旨を割引演算部２０３に通知する。割引演算部２０３は、割引クーポンデータベース部２０５から当該割引商品の割引率等を取得し（処理８、９）、割引演算を行なう（処理１０）。
【００５３】
上記のように、実施例１によれば、店舗に設置されている画像形成装置を使用する際に、割引クーポンコードを発行してＰＯＳ端末に送信することによって、商品の割引を行なうことができる。特に、特定店舗ごとに発行されるポイントカードを使用しなくても、店舗が提供する割引サービスを受けることができる。店舗は、画像形成装置を使用する顧客に対して割引商0品の宣伝を効果的に行なうことができ、販売を促進することが可能となる。
【実施例２】
【００５４】
本発明における実施例２の印刷デバイスおよびＰＯＳシステムによる販売促進システムを、図７〜図１３を参照しながら説明する。図７は、画像形成装置およびＰＯＳシステムによる販売促進システムの全体概略図である。複数の店舗１、２は実施例１と同様、コンビニエンスストアやスーパーマーケット等の商業施設であり、多数の商品９８が陳列・販売されている。それぞれの店舗１、２の内部には、画像形成装置６０とＰＯＳ端末７０が設置される。画像形成装置６０は、プリンタ、複写機、およびそれに類する他の機能・手段を有するものであり、顧客が料金を支払うことによって文書や画像をコピーしたりプリントアウトすることができる。ＰＯＳ端末７０は実施例１と同様に、それぞれの店舗において商品の精算を行なうものである。
【００５５】
画像形成装置６０とＰＯＳ端末７０は、それぞれ各種通信手段によって接続され、双方向通信が可能である。さらに、画像形成装置６０とＰＯＳ端末７０は、ネットワーク１００に各種通信手段によって接続される。さらに、ネットワーク１００には、管理サーバ４０、携帯端末５０がそれぞれ接続される。また管理サーバ４０は、画像形成装置データベース８０、割引クーポンデータベース９０に接続される。
【００５６】
図８は、実施例２における印刷デバイスおよびＰＯＳシステムによる販売促進システムの詳細を示す構成図である。管理サーバ４０は、ＣＰＵ４１、メモリ４２、通信インターフェース４３を含む。ＣＰＵ４１は、図示しないＲＯＭに格納されたプログラムを実行することにより管理サーバ４０全体を制御し動作させる。メモリ４２は、ＣＰＵ４１のワークエリア、またネットワーク１００と種々の通信を行なう際のデータの一時的記憶領域として使用される。通信インターフェース４３は、管理サーバ４０をネットワーク１００および画像形成装置データベース８０、割引クーポンデータベース９０と接続し、各種通信を可能とするものである。
【００５７】
携帯端末５０は、ＣＰＵ５１、メモリ５２、通信インターフェース５３、ＧＰＳ機能５４、表示ディスプレイ５５、および入力操作部５６を備える。ＣＰＵ５１は、図示しないＲＯＭに格納されたプログラムを実行することにより携帯端末５０全体を制御する。メモリ５２は、ＣＰＵ５１のワークエリア、または各種データの一時的記憶領域として使用される。通信インターフェース５３は、携帯端末５０とネットワーク１００または管理サーバ４０とを接続して通信を可能にするためのものである。またＧＰＳ機能５４は、衛星からの電波を受信することによって携帯端末の現在位置を算出する機能を有し、このデータを管理サーバに送信することにより、画像形成装置の検索の際に現在位置を特定するのに使用される。表示ディスプレイ５５は、各種情報を表示して顧客に通知するものであり、顧客は入力操作部５６を操作することにより、各種設定や検索、予約プログラムの実行の指示を行なうことができる。
【００５８】
画像形成装置６０は主に、ＣＰＵ６１、メモリ６２、通信インターフェース６３、タッチパネル式ディスプレイ６４、コインユニット６５、画像形成部６６を備える。ＣＰＵ６１は、図示しないＲＯＭに格納されたプログラムを実行することにより画像形成装置６０を制御し動作させる。メモリ６２は、ＣＰＵ６１のワークエリア、またネットワークから受信した画像等の一時的記憶領域として使用される。通信インターフェース６３は、画像形成装置６０をネットワーク１００またＰＯＳ端末７０と接続し、双方向通信を可能にするものである。タッチパネル式ディスプレイ６４は、Ｗｅｂページや種々の情報を表示することによって顧客に情報を通知し、顧客は画面に触れることにより、各種選択入力を行なうことが可能となる。コインユニット６５は、硬貨投入口や、カウント機構等を備え、一定金額が投入されることにより、顧客に対して既定料金で画像形成を可能とするものである。
【００５９】
ＰＯＳ端末７０は、ＣＰＵ７１、メモリ７２、通信インターフェース７３、テンキー７４、ディスプレイ７５、プリンタ７６を備える。ＣＰＵ７１は、図示しないＲＯＭに格納されたプログラムを実行することにより商品精算時における演算制御およびプログラムの実行等全般を司るものであり、メモリ７２はＣＰＵ７１のワークエリア、また各種データの一時的記憶領域として使用される。通信インターフェース７３は、このＰＯＳ端末７０を画像形成装置６０およびネットワーク１００と接続し、双方向通信を可能とするためのものである。テンキー７４は、顧客の購入商品の精算時に、店員が商品の代金をＰＯＳ端末に入力するためのものである。さらに、後で詳細に説明するが、テンキー７４は割引コードをＰＯＳ端末に入力するためにも使用される。またディスプレイ７５には、精算する代金、合計金額等が表示される。プリンタ７６は、ＰＯＳ端末によって精算した売買の明細をレシートまたは領収証として印刷する。
【００６０】
次に、実施例２における販売促進システムの動作を、図９に示す機能ブロック図、および図１２の携帯端末の表示ディスプレイ画面を示す図、さらに図１３の画像形成装置のタッチパネル式ディスプレイの表示画面を示す図を参照しながら詳細に説明する。図９は、実施例２における販売促進システムの機能ブロック図である。図に示す各種機能は、管理サーバ４０、携帯端末５０、画像形成装置６０、およびＰＯＳ端末７０のそれぞれに設けられたメモリ４２，５２，６２，７２、および図示しないＲＯＭに格納されたプログラムをＣＰＵ４１、５１、６１、７１により実行することで実現される。管理サーバ４０は、画像形成装置検索部４０１、割引商品検索部４０２、予約コード作成部４０３、ドキュメント記憶部４０４、送受信部４０５を備える。
【００６１】
また携帯端末５０は、画像形成装置検索予約要求部５０１、位置情報管理部５０２、ドキュメント送信部５０３、表示制御部５０４を備える。図１２は、携帯端末５０のディスプレイ５５における画像形成装置の検索・予約画面の一例を示す。
【００６２】
画像形成装置６０は、画像形成制御部６０１、予約コード記憶部６０２、予約コード認証部６０３、印刷データ取得・記憶部６０４、画像形成監視部６０５、課金管理部６０６、割引クーポンコード送信部６０７を備える。図１３は、画像形成装置６０の予約印刷時における表示入力画面の一例を示す。
【００６３】
ＰＯＳ端末７０は、代金計算部７０１、割引クーポンコード記憶部７０２、割引クーポンコード照合部７０３、割引演算部７０４を備える。
【００６４】
携帯端末５０において、顧客が所望のドキュメントやウエブサイト等のコンテンツの印刷を所望する場合、顧客は入力操作部５６を操作することにより、画像形成装置検索予約要求部５０１を動作させて、管理サーバ４０の画像形成装置検索部４０１に接続する。この際携帯端末５０は位置情報管理部５０２から取得した現在位置データを画像形成装置検索部４０１に送信する。画像形成装置検索予約要求部５０１は、後述する所定の検索条件設定画面を表示させ、使用したい画像形成装置の種類や料金、割引商品の有無等を条件として検索要求を管理サーバ４０に送信する。図１２（ａ）〜図１２（ｄ）は、携帯端末のディスプレイ５５に表示される画像形成装置検索設定画面を示す。画像形成装置検索画面においては、検索条件として、画像形成装置の性能を選択する画像形成装置性能選択プルダウンメニュー５５１、料金条件を選択する料金条件選択プルダウンメニュー５１２、割引商品の有無を選択する割引商品条件選択プルダウンメニュー５１３が表示される。顧客はこれら表示された検索条件の中から希望するものを選択することにより、管理サーバに対して画像形成装置の検索要求を行なう。また、検索要求の際に、携帯端末の位置情報も付加することにより、現在位置近隣の画像形成装置を検索するように指示してもよい。管理サーバ４０の画像形成装置検索部４０１は、画像形成装置データベース８０に接続し、条件に見合った画像形成装置の情報を出力し、携帯端末５０に送信する。このとき、割引商品検索部４０２は、割引クーポンデータベース８０から、それぞれ検索された画像形成装置の設置されている店舗における割引商品の情報を取得し、携帯端末５０に送信する。
【００６５】
図１２（ｂ）は、携帯端末５０のディスプレイ５５に表示される検索結果通知画面を示す。検索結果通知画面には、地図５１４と画像形成装置の設置されている店舗の位置５１５、５１６が番号とともに表示され、ディスプレイ下部には当該画像形成装置の性能、料金、稼動状況、および当該店舗における割引商品の情報が表示される。このとき、ディスプレイには割引商品の情報だけでなく、当該店舗の広告が表示されるようにしてもよい。これは、割引クーポンデータベースに店舗ごとの広告情報を含めることにより達成することができる。顧客は、携帯端末５０の検索結果通知画面に表示されている画像形成装置の検索結果一覧から希望するものを選択し、予約ボタン５１９を選択すると、次に図１２（ｃ）に示される割引商品選択画面５２０が表示される。割引商品選択画面５２０には、店舗の名称５２１と、当該店舗における割引商品とその割引情報５２２がいくつか表示される。顧客がこれら複数の割引商品の中から希望するものを選択すると、管理サーバ４０の予約コード作成部４０３は、選択された画像形成装置および選択された割引商品、さらに印刷させるドキュメントに対応した予約コードを発行し、携帯端末５０の表示ディスプレイ５５に表示させる。図１２（ｄ）は、携帯端末５０のディスプレイ５１に表示される予約コード通知画面５２３を示す。予約コード通知画面５２３には、予約コード５２４が表示される。さらに、予約コード作成部４０３によって作成された予約コードは、上記操作によって選択された画像形成装置６０に送信され、当該画像形成装置６０の予約コード記憶部６０２に記憶される。顧客が携帯端末５０に記憶されているドキュメントの印刷を希望する場合、ドキュメント送信部５０３は管理サーバ５０にドキュメントを送信し、管理サーバ５０のドキュメント記憶部４０４にドキュメントを一時的に記憶する。顧客がＷｅｂページ等のネットワーク上のコンテンツを印刷させたい場合、携帯端末５０のドキュメント送信部５０３は、ＷｅｂページのＵＲＬ等の情報を管理サーバ４０に送信し、ドキュメント記憶部４０４は、その情報を一時的に記憶する。上記操作により携帯端末５０における画像形成装置の検索および予約を終了する。
【００６６】
顧客は、管理サーバ４０から携帯端末に送信してきた予約コードを書き留めるか記憶しておき、選択した画像形成装置の設置してある店舗へ移動し、画像形成装置６０のタッチパネル式ディスプレイ６４を操作することによって指定の予約コードを入力する。予約コードの入力は、図１３に示すような入力画面から行なうことができる。まず、タッチパネル式ディスプレイ６４には、予約印刷選択画面６４１が表示される。顧客が予約印刷ボタン６４２を選択すると、続いて予約コード入力画面６４３が表示される。予約コード表示画面６４３には、複数の英数字入力ボタン６４４が表示され、顧客はこれら英数字入力ボタンを操作することにより予約コードを入力する。予約コードが入力されると、画像形成装置６０の予約コード認証部は、予約コード記憶部６０２に記憶されている予約コードに一致したものが存在するかどうか認証を行なう。予約コードが予約コード記憶部６０２に記憶されているもの一致している場合、印刷データ取得・記憶部６０４は、管理サーバ４０にネットワークを介して接続し、管理サーバ４０のドキュメント記憶部４０４に一時的に記憶されているドキュメントを取得し、記憶する。また印刷データがＷｅｂページ等のコンテンツの場合、印刷データ取得・記憶部６０４は、管理サーバ４０のドキュメント記憶部４０４からＵＲＬを取得し、その情報に基づいて印刷すべきコンテンツを取得し、記憶する。記憶された印刷データは順次ビデオ信号に変換され、画像形成制御部６０１は画像形成装置の画像形成部６６を駆動させて用紙に画像形成を行なう。印刷が開始されると、予約印刷実行画面６４５が表示される。予約印刷実行画面６４５には、割引商品画像６４６を表示させてもよい。割引商品画像６４６は、画像形成装置に、管理サーバと接続することにより割引クーポンデータベースから該当する割引商品の情報を取得する機能をもたせることにより実現させることができる。
【００６７】
画像形成装置６０の画像形成監視部６０５は、用紙に印刷が行なわれるのを監視しており、画像形成毎、また用紙の排紙の度に課金管理部６０６に印刷の種類、用紙の種類等の情報を通知し、コインユニット６５に挿入された金額から料金を差し引く。
【００６８】
また前記画像形成監視部６０５は、印刷された枚数をカウントしており、所定枚数以上の印刷が行なわれると、割引クーポンコード送信部６０７にその旨を通知する。割引クーポンコード送信部６０７は、予約コード記憶部６０２に記憶されている予約コードを取得し、割引クーポンコードとしてＰＯＳ端末７０に送信する。ＰＯＳ端末７０の割引クーポンコード記憶部７０２は、画像形成装置６０の割引クーポンコード送信部６０７から送信された割引クーポンコードを記憶する。
【００６９】
顧客は、画像形成装置６０を使用して所望のドキュメントの印刷を行なった後、店舗内で商品９８および割引商品９９を選択してＰＯＳ端末のところに持ってくる。ＰＯＳ端末を操作する店員は、商品９８の代金をテンキー７４を操作することにより入力し、ＰＯＳ端末７０の代金計算部７０１は、精算金額を計算する。この精算の際に、テンキー７４により予約コードをＰＯＳ端末に入力すると、割引クーポンコード照合部は、予約コードと、割引クーポンコード記憶部７０２に記憶されている割引クーポンコードと一致するかどうか判断する。入力された予約コードと割引クーポンコードが一致する場合、割引演算部７０４は、管理サーバ４０を介して割引クーポンデータベース９０に接続し、当該割引商品の割引率を取得し、割引演算を行ない、合計金額に反映させる。
【００７０】
図１０は、画像形成装置データベース８０と、割引クーポンデータベース９０を示す。画像形成装置データベース８０と割引クーポンデータベース９０は、管理サーバに接続された記憶媒体に記憶されているものであり、管理サーバからの要求に応じて各種データを提供するものである。画像形成装置データベース８０は、画像形成装置の機能８１、稼動状況８２、設置されている店舗名または場所８３、地図情報８４を含む。割引クーポンデータベース９０は、店舗名９１、店舗の場所９２、割引商品名９３、価格９４、割引率９５、商品の画像９６を含む。そして管理サーバ４０の画像形成装置検索部４０１が画像形成装置データベースから画像形成装置を検索する際に、割引商品検索部４０２は、当該画像形成装置が設置されている店舗の割引商品を割引クーポンデータベースから検索し、携帯端末に通知する。
【００７１】
図１１は、実施例２における販売促進システムの諸構成要素間のデータのやりとりを時系列で示すシーケンス図である。
【００７２】
まず顧客は、携帯端末５０を使用して、画像形成装置検索予約要求部５０１のプログラムを起動させ、管理サーバ４０に接続し、画像形成装置検索予約要求を画像形成装置に対して行なう（処理１０１）。
【００７３】
管理サーバ４０は、画像形成装置検索予約要求を携帯端末５０より受信すると、画像形成装置データベース８０に画像形成装置検索指示を行ない（処理１０２）、検索結果を取得する（処理１０３）。同時に管理サーバは、検索結果に含まれる画像形成装置の設置場所をもとに割引クーポンデータベースにも割引商品の検索指示を行ない（処理１０４）、該当する店舗における割引商品の検索結果を取得する（処理１０５）。
【００７４】
管理サーバ４０は、検索結果を取得すると、携帯端末５０に対して検索結果を通知する（処理１０６）。
【００７５】
顧客がこれら複数の割引商品の中から希望するものを選択すると、携帯端末５０の画像形成装置検索予約要求部５０１は、選択された画像形成装置の予約を管理サーバ４０に対して指示する（処理１０７）。
【００７６】
次いで管理サーバ４０は、画像形成装置の種類、印刷しようとするドキュメントの種類、また割引商品に応じた予約コードを発行して携帯端末に送信する（処理１０７）。顧客はこの予約コードを書き留めるか記憶する。同時に管理サーバ４０は、予約コードを画像形成装置６０にも送信し、画像形成装置６０は受信した予約コードを予約コード記憶部６０２に記憶する（処理１０９）。
【００７７】
顧客は、該当する画像形成装置の設置してある店舗まで移動し、画像形成装置のタッチパネル式ディスプレイ６４に、予約コードを入力することにより、印刷の指示を行ない、印刷処理を実行する（処理１１０）。
【００７８】
画像形成装置６０において所定の枚数が印刷されると、予約コード記憶部６０２に記憶されていた予約コードを、割引クーポンコードとしてＰＯＳ端末に送信することによりクーポンを発行する（処理１１１）。割引クーポンコードは、ＰＯＳ端末の割引クーポンコード記憶部７０２に記憶される。
【００７９】
顧客は印刷を終えると、店舗内で商品選択し、割引商品とともにＰＯＳ端末のところまで行き、店員に予約コードをテンキー７４によりＰＯＳ端末に入力してもらう（処理１１２）。すると、ＰＯＳ端末７０の割引演算部７０４は、割引クーポンデータベースから該当する割引商品の割引率を取得し（処理１１３、１１４）、割引率を商品計算の演算結果に反映させる（処理１１５）。
【００８０】
上記のシステムと方法により、画像形成装置を予約して印刷すると同時に、ポイントカード等を使用しなくても画像形成装置を設置している店舗の商品の割引を可能にし、当該店舗の販売を促進することができる。
【図面の簡単な説明】
【００８１】
【図１】本発明の実施例１の販売促進システムの全体概略図である。
【図２】本発明の実施例１の画像形成装置１０とＰＯＳ端末２０の構成図である。
【図３】本発明の実施例１の画像形成装置１０とＰＯＳ端末２０の機能ブロック図である。
【図４】本発明の実施例１の割引クーポンデータベース２０５の構成図である。
【図５】本発明の実施例１における画像形成装置１０のタッチパネル式ディスプレイ１５に表示された割引商品選択画面を示す図である。
【図６】本発明の実施例１における販売促進システムのシーケンス図である。
【図７】本発明の実施例２における販売促進システムの全体外略図である。
【図８】本発明の実施例２における販売促進システムの構成図である。
【図９】本発明の実施例２における販売促進システムの機能ブロック図である。
【図１０】本発明の実施例２における画像形成装置データベース８０と割引クーポンデータベース９０の構成図である。
【図１１】本発明の実施例２における販売促進システムの諸構成要素の各動作を示すシーケンス図である。
【図１２】本発明の実施例２における携帯端末５０のディスプレイ５１における画像形成装置の検索・予約画面の一例を示す図である。
【図１３】本発明の実施例２における画像形成装置６０の予約印刷時における表示入力画面の一例を示す図である。
【符号の説明】
【００８２】
１０    ・・・画像形成装置
２０    ・・・ＰＯＳ端末
４０    ・・・管理サーバ
５０    ・・・携帯端末
６０    ・・・画像形成装置
７０    ・・・ＰＯＳ端末
８０    ・・・画像形成装置データベース
９０    ・・・割引クーポンデータベース
１００  ・・・ネットワーク
１０５  ・・・割引クーポン検索部
１０６  ・・・割引クーポンコード作成部
２０４  ・・・割引クーポンコード照合部
２０５  ・・・割引クーポンデータベース
【図１】
2007034539.tif 000003
【図２】
2007034539.tif 000004
【図３】
2007034539.tif 000005
【図４】
2007034539.tif 000006
【図５】
2007034539.tif 000007
【図６】
2007034539.tif 000008
【図７】
2007034539.tif 000009
【図８】
2007034539.tif 000010
【図９】
2007034539.tif 000011
【図１０】
2007034539.tif 000012
【図１１】
2007034539.tif 000013
【図１２】
2007034539.tif 000014
【図１３】
2007034539.tif 000015